(57)【要約】【課題】  多くの時間がかかったり、正確な結果が得られなかったりするという課題があった。【解決手段】  被測定機器Ｔから離れた位置で当該被測定機器Ｔの全体から輻射される電波を受信する第一アンテナ２１，４１と、被測定機器Ｔに近接位置で複数のグリッド上に移動されるとともに各グリッド上で当該被測定機器Ｔから局所的に輻射される電波を受信する第二アンテナ２２，４２を備え、両アンテナの出力を同じ濾過周波数帯域を有するバンドパスフィルタ３１，３２，５２，５３に通過せしめ、それぞれから得られた第一系統出力Ｓ１Ｓ１と第二系統出力Ｓ２Ｓ２との間での位相差Ｑおよび第二系統出力Ｓ２Ｓ２の振幅Ｖを上記第二アンテナ２２，４２の位置情報と共に記憶し、これを平面状に表示することで被測定機器Ｔ上での輻射電波の伝搬状況を正確かつ容易に視認できるようになる。【選択図】  図２
2006170779.tif 000002
【特許請求の範囲】
【請求項１】
被測定機器からの輻射電波を受信して所定のノイズ源などを特定する輻射電波測定装置において、
上記被測定機器全体からの輻射電波を受信する第一のアンテナと、
上記被測定機器上からの局所的な輻射電波を受信する近磁界プローブからなる第二のアンテナと、
上記第一のアンテナ出力を通過させて第一系統出力を得る第一のバンドパスフィルタと、
上記第一のバンドパスフィルタと同じ濾過周波数帯域を有し、上記第二のアンテナ出力を通過させて第二系統出力を得る第ニのバンドパスフィルタと、
上記第二のアンテナを上記被測定機器上で走査するように移動させつつ上記第一系統出力と上記第二系統出力とをシンクロスコープに入力し、上記第一系統出力でトリガをかけて上記第一系統出力と上記第二系統出力との間の位相差を同第二のアンテナの位置情報とともに記録する第一の記録手段と、
この第一の記録手段にて記録された上記位相差を上記位置情報に対応して平面状に表示するにあたり、記録された全ての位相差に対して時間とともに徐々に同じ位相角だけ変化させていき、各時点での位相差を表す画像を順次表示していく第一の表示手段とを具備することを特徴とする輻射電波測定装置。
【請求項２】
被測定機器からの輻射電波を受信して所定のノイズ源などを特定する輻射電波測定装置において、
上記被測定機器全体からの輻射電波を受信する第一のアンテナと、
上記被測定機器上からの局所的な輻射電波を受信する第二のアンテナと、
上記第一のアンテナ出力を通過させて第一系統出力を得る第一のバンドパスフィルタと、
上記第二のアンテナ出力を通過させて第二系統出力を得る第ニのバンドパスフィルタと、
上記第二のアンテナを上記被測定機器上で走査するように移動させつつ上記第一系統出力と上記第二系統出力との間の位相差を同第二のアンテナの位置情報とともに記録する第一の記録手段と、
この第一の記録手段にて記録された上記位相差を上記位置情報に対応して平面状に表示する第一の表示手段とを具備することを特徴とする記載の輻射電波測定装置。
【請求項３】
被測定機器からの輻射電波を受信して所定のノイズ源などを特定する輻射電波測定装置において、
上記被測定機器全体からの輻射電波を受信する第一のアンテナと、
上記被測定機器上からの局所的な輻射電波を受信する第二のアンテナと、
上記第一のアンテナ出力を通過させて第一系統出力を得る第一のバンドパスフィルタと、
上記第一のバンドパスフィルタと同じ濾過周波数帯域を有し、上記第二のアンテナ出力を通過させて第二系統出力を得る第ニのバンドパスフィルタと、
上記第二のアンテナを上記被測定機器上で走査するように移動させつつ上記第一系統出力と上記第二系統出力との間の位相差と上記第二系統出力の振幅を同第二のアンテナの位置情報とともに記録する第二の記録手段と、
この第二の記録手段にて記録された上記位相差と振幅を上記位置情報に対応して平面状に表示する第二の表示手段とを具備することを特徴とする記載の輻射電波測定装置。
【請求項４】
上記第一の表示手段または第二の表示手段は、輝度変化で画像を表示する第一の画像表示手段を有し、上記位相差または振幅を輝度に対応して表示させることを特徴とする上記請求項２または請求項３のいずれかに記載の輻射電波測定装置。
【請求項５】
上記第一の表示手段または第二の表示手段は、色相の変化を表示可能な第二の画像表示手段を有し、上記位相差または振幅を色相に対応して表示させることを特徴とする上記請求項２または請求項３のいずれかに記載の輻射電波測定装置。
【請求項６】
上記第一の表示手段または第二の表示手段は、彩度の変化を表示可能な第三の画像表示手段を有し、上記位相差または振幅を彩度に対応して表示させることを特徴とする上記請求項２または請求項３のいずれかに記載の輻射電波測定装置。
【請求項７】
上記第一の表示手段または第二の表示手段は、疑似三次元表示が可能な第四の画像表示手段を有し、上記位相差または振幅をＺ軸に対応して表示させることを特徴とする上記請求項２または請求項３のいずれかに記載の輻射電波測定装置。
【請求項８】
上記第一の記録手段または第二の記録手段に記録された位相差を時間の経過に伴って変化させ、各時点での画像を上記第一の表示手段または第二の表示手段で表示させることを特徴とする上記請求項２〜請求項７のいずれかに記載の輻射電波測定装置。
【請求項９】
上記第一系統出力と上記第二系統出力との間の位相差と上記第二系統出力の振幅は、シンクロスコープにて計測することを特徴とする上記請求項１〜請求項８のいずれかに記載の輻射電波測定装置。
【請求項１０】
被測定機器からの輻射電波を受信して所定のノイズ源などを特定する輻射電波測定方法において、
第一のアンテナにて上記被測定機器全体からの輻射電波を受信してその出力を第一のバンドパスフィルタを通過させて第一系統出力を得るとともに、
第二のアンテナにて上記被測定機器上からの局所的な輻射電波を受信してその出力を上記第一のバンドパスフィルタと同じ濾過周波数帯域を有する第ニのバンドパスフィルタを通過させて第二系統出力を得るにあたり、
上記第二のアンテナを上記被測定機器上で走査するように移動させつつ上記第一系統出力と上記第二系統出力との間の位相差を同第二のアンテナの位置情報とともに記録し、
この記録された上記位相差を上記位置情報に対応して平面状に表示することを特徴とする記載の輻射電波測定方法。
【発明の詳細な説明】
【技術分野】
【０００１】
本発明は、被測定機器からの輻射電波を受信して所定のノイズ源などを特定する輻射電波測定装置および輻射電波測定方法に関する。
【背景技術】
【０００２】
電子機器に対しては輻射電波に対する規制があり、この規制を守るためには不要な輻射電波源となるノイズ源などを特定する必要があるので輻射電波測定装置が利用されている。
従来、この種の輻射電波測定装置として、特許文献１〜特許文献５に示すものなどが知られている。
一般には、対象領域を広くした第一のアンテナと、対象領域を狭くしたプローブ状の第二のアンテナとをそれぞれをシンクロスコープに接続し、第一のアンテナ出力でノイズの目安を見つけ、バンドパスフィルタを介する第二のアンテナ出力をシンクロスコープで監視しながら第二のアンテナを適宜移動させて発生源を探っている。
【特許文献１】特開平５−１１９０８９号公報
【特許文献２】特開平５−３１２８６７号公報
【特許文献３】特開平８−２８５９０５号公報
【特許文献４】特開平１０−６２４６７号公報
【特許文献５】特開２００３−１６７０１３号公報
【発明の開示】
【発明が解決しようとする課題】
【０００３】
上述した従来の輻射電波測定装置においては、あくまでも勘であたりを付けて探しているに過ぎず、経験的な技能に頼っていた。従って、多くの時間がかかったり、正確な結果が得られなかったりするという課題があった。
本発明は、上記課題にかんがみてなされたもので、勘や経験に頼らず、簡易かつ正確にノイズの発生源などを特定することが可能な輻射電波測定装置および輻射電波測定方法の提供を目的とする。
【課題を解決するための手段】
【０００４】
上記目的を達成するため、請求項２にかかる発明は、被測定機器からの輻射電波を受信して所定のノイズ源などを特定する輻射電波測定装置において、上記被測定機器全体からの輻射電波を受信する第一のアンテナと、上記被測定機器上からの局所的な輻射電波を受信する第二のアンテナと、上記第一のアンテナ出力を通過させて第一系統出力を得る第一のバンドパスフィルタと、上記第一のバンドパスフィルタと同じ濾過周波数帯域を有し、上記第二のアンテナ出力を通過させて第二系統出力を得る第ニのバンドパスフィルタと、上記第二のアンテナを上記被測定機器上で走査するように移動させつつ上記第一系統出力と上記第二系統出力との間の位相差を同第二のアンテナの位置情報とともに記録する第一の記録手段と、この第一の記録手段にて記録された上記位相差を上記位置情報に対応して平面状に表示する第一の表示手段とを具備する構成としてある。
【０００５】
上記のように構成した請求項２にかかる発明においては、上記被測定機器全体からの輻射電波を第一のアンテナにて受信し、さらに同第一のアンテナ出力を第一のバンドパスフィルタに通過させて第一系統出力を得る。また、上記被測定機器上からの局所的な輻射電波を第二のアンテナにて受信し、さらに、同第二のアンテナ出力を上記第一のバンドパスフィルタと同じ濾過周波数帯域を有する第ニのバンドパスフィルタに通過させて第二系統出力を得る。このとき、この第二のアンテナについては、上記被測定機器上で走査するように移動させながら、上記第一系統出力と上記第二系統出力との間の位相差を同第二のアンテナの位置情報とともに第一の記録手段に記録する。第一のバンドパスフィルタと第二のバンドパスフィルタの濾過周波数帯域は一致しており、この帯域を十分に狭めることでほぼ同一の信号源から発生される輻射電波が第一のアンテナと第二のアンテナとで受信されることになる。そして、共に受信された輻射電波であっても第二のアンテナは被測定機器上で走査しながら受信しているので、位置に応じて伝搬に要した時間だけ位相がずれてくる。第一の記録手段はその位相差と位置情報を記録しているので、これらの情報に基づいて第一の表示手段が平面状に表示すると、信号発生源を中心として伝搬距離に対応して徐々に位相差が変化している様子を表示することになる。
【０００６】
また、請求項３にかかる発明は、被測定機器からの輻射電波を受信して所定のノイズ源などを特定する輻射電波測定装置において、上記被測定機器全体からの輻射電波を受信する第一のアンテナと、上記被測定機器上からの局所的な輻射電波を受信する第二のアンテナと、上記第一のアンテナ出力を通過させて第一系統出力を得る第一のバンドパスフィルタと、上記第一のバンドパスフィルタと同じ濾過周波数帯域を有し、上記第二のアンテナ出力を通過させて第二系統出力を得る第ニのバンドパスフィルタと、上記第二のアンテナを上記被測定機器上で走査するように移動させつつ上記第一系統出力と上記第二系統出力との間の位相差と上記第二系統出力の振幅を同第二のアンテナの位置情報とともに記録する第二の記録手段と、この第二の記録手段にて記録された上記位相差と振幅を上記位置情報に対応して平面状に表示する第二の表示手段とを具備する構成としてある。
【０００７】
上記のように構成した請求項３にかかる発明においては、請求項２にかかる発明に加えて、第二系統出力の振幅が記録され、平面上に表示される。これにより複数の信号源があって位相差だと干渉縞となって分かりにくい場合でも、振幅で信号源からの距離も分かることになり、信号源の特定などの分析に役立つ。
【０００８】
位相差や振幅は数値で表示することも可能である。しかし、より表示を視覚的に分かりやすく表示する一例として、請求項４にかかる発明は、上記第一の表示手段または第二の表示手段は、輝度変化で画像を表示する第一の画像表示手段を有し、上記位相差または振幅を輝度に対応して表示させる構成としてある。
【０００９】
上記のように構成した請求項４にかかる発明においては、位相差は０〜２πの値を取り、連続的に変化する様を輝度変化に対応させれば明るさの連続的変化が位相差の連続的変化を表すことになる。信号源から拡散する伝搬路では位相差が連続的に変化するはずであり、位相差が連続的に変化する様が輝度で表示されることにより、伝搬路を視覚的に認知可能となる。振幅も一定の範囲があるので、その最小値から最大値までの連続的変化を輝度変化に対応させることができる。振幅の変化は信号源からの距離に反比例しやすいので、輝度の連続的変化は信号源からの距離に対応し、伝搬状況が理解しやすい。
【００１０】
輝度以外の一例として、請求項５にかかる発明は、上記第一の表示手段または第二の表示手段は、色相の変化を表示可能な第二の画像表示手段を有し、上記位相差または振幅を色相に対応して表示させる構成としてある。
上記のように構成した請求項５にかかる発明においては、位相差や振幅の連続的変化を色相の連続的変化に対応させて表示すれば、伝搬状況を色相の変化で表示し、理解しやすい。
【００１１】
また、他の一例として、請求項６にかかる発明は、上記第一の表示手段または第二の表示手段は、彩度の変化を表示可能な第三の画像表示手段を有し、上記位相差または振幅を彩度に対応して表示させる構成としてある。
上記のように構成した請求項６にかかる発明においては、位相差や振幅の連続的変化を彩度の連続的変化に対応させて表示すれば、伝搬状況を彩度の変化で表示し、理解しやすい。
【００１２】
さらに、他の一例として、請求項７にかかる発明は、上記第一の表示手段または第二の表示手段は、疑似三次元表示が可能な第四の画像表示手段を有し、上記位相差または振幅をＺ軸に対応して表示させる構成としてある。
上記のように構成した請求項７にかかる発明においては、疑似三次元表示で位相差をＺ軸に対応させると、あたかも位相差を波として表示でき、伝搬の様が立体的に表示されて視認しやすい。振幅であれば、信号源を頂上として裾野が広がる山のように表示されて視認しやすい。
【００１３】
さらに、請求項８にかかる発明は、上記第一の記録手段または第二の記録手段に記録された位相差を時間の経過に伴って変化させ、各時点での画像を上記第一の表示手段または第二の表示手段で表示させる構成としてある。
上記のように構成した請求項８にかかる発明においては、本来の位相差に対して時間の経過に比例したずれを生じさせることで、各位置での位相差は波のように変化する。これを平面上に表示すればあたかも時間軸に沿って波が伝搬する様をアニメーション表示することになり、伝搬状況を視認しやすい。
【００１４】
計測のより具体的な一例として、請求項９にかかる発明は、上記第一系統出力と上記第二系統出力との間の位相差と上記第二系統出力の振幅は、シンクロスコープにて計測する構成としてある。
上記のように構成した請求項９にかかる発明においては、シンクロスコープでの計測する。第一系統出力でトリガをかければ対応する第二系統出力も限定され、第一系統出力と第二系統出力とが並べて表示されて位相差や振幅の対応関係を把握しやすくなる。
【００１５】
むろん、以上の構成を踏まえた上で、請求項１にかかる発明は、被測定機器からの輻射電波を受信して所定のノイズ源などを特定する輻射電波測定装置において、上記被測定機器全体からの輻射電波を受信する第一のアンテナと、上記被測定機器上からの局所的な輻射電波を受信する近磁界プローブからなる第二のアンテナと、上記第一のアンテナ出力を通過させて第一系統出力を得る第一のバンドパスフィルタと、上記第一のバンドパスフィルタと同じ濾過周波数帯域を有し、上記第二のアンテナ出力を通過させて第二系統出力を得る第ニのバンドパスフィルタと、上記第二のアンテナを上記被測定機器上で走査するように移動させつつ上記第一系統出力と上記第二系統出力とをシンクロスコープに入力し、上記第一系統出力でトリガをかけて上記第一系統出力と上記第二系統出力との間の位相差を同第二のアンテナの位置情報とともに記録する第一の記録手段と、この第一の記録手段にて記録された上記位相差を上記位置情報に対応して平面状に表示するにあたり、記録された全ての位相差に対して時間とともに徐々に同じ位相角だけ変化させていき、各時点での位相差を表す画像を順次表示していく第一の表示手段とを具備する構成としてある。
【００１６】
このようなより具体的な構成において上述したのと同様な作用を奏することはいうまでもない。
このように、十分に濾過帯域を狭めたバンドパスフィルタを通過させることで全体からの輻射電波と局所的な輻射電波を共に受信して位相差などを平面状に表示する手法は必ずしも実体のある装置に限られる必要はなく、その方法としても機能することは容易に理解できる。このため、請求項１０にかかる発明は、被測定機器からの輻射電波を受信して所定のノイズ源などを特定する輻射電波測定方法において、第一のアンテナにて上記被測定機器全体からの輻射電波を受信してその出力を第一のバンドパスフィルタを通過させて第一系統出力を得るとともに、第二のアンテナにて上記被測定機器上からの局所的な輻射電波を受信してその出力を上記第一のバンドパスフィルタと同じ濾過周波数帯域を有する第ニのバンドパスフィルタを通過させて第二系統出力を得るにあたり、上記第二のアンテナを上記被測定機器上で走査するように移動させつつ上記第一系統出力と上記第二系統出力との間の位相差を同第二のアンテナの位置情報とともに記録し、この記録された上記位相差を上記位置情報に対応して平面状に表示する構成としてある。
【００１７】
すなわち、必ずしも実体のある装置に限らず、その方法としても有効であることに相違はない。
ところで、このような輻射電波測定装置は単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。
【００１８】
発明の思想の具現化例として輻射電波測定装置のソフトウェアとなる場合には、かかるソフトウェアを記録した記録媒体上においても当然に存在し、利用されるといわざるをえない。
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
【００１９】
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。
【００２０】
本発明をソフトウェアで実現する場合、ハードウェアやオペレーティングシステムを利用する構成とすることも可能であるし、これらと切り離して実現することもできる。例えば、各種の演算処理といっても、その実現方法はオペレーティングシステムにおける所定の関数を呼び出して処理することも可能であれば、このような関数を呼び出すことなくハードウェアから入力することも可能である。そして、実際にはオペレーティングシステムの介在のもとで実現するとしても、プログラムが媒体に記録されて流通される過程においては、このプログラムだけで本発明を実施できるものと理解することができる。
【００２１】
また、本発明をソフトウェアで実施する場合、発明がプログラムを記録した媒体として実現されるのみならず、本発明がプログラム自体として実現されるのは当然であり、プログラム自体も本発明に含まれる。
【発明の効果】
【００２２】
以上説明したように本発明は、輻射電波の伝搬状況を視覚的に表示し、これまで特定するのに苦労していた信号発生源をより正確かつ簡易に特定することが可能な輻射電波測定装置を提供することができる。
さらに、請求項３にかかる発明によれば、振幅の減衰状況も表示されるので信号発生源が複数存在して干渉縞のようになってしまった場合でも信号発生源の特定が容易となる。
さらに、請求項４にかかる発明によれば、輝度変化で伝搬状況が視認しやすい。
さらに、請求項５にかかる発明によれば、色相変化で伝搬状況が視認しやすい。
【００２３】
さらに、請求項６にかかる発明によれば、彩度変化で伝搬状況が視認しやすい。
さらに、請求項７にかかる発明によれば、疑似三次元表示のＺ軸に割り当てることで伝搬状況が視認しやすい。
さらに、請求項８にかかる発明によれば、アニメーション化で伝搬状況をより視認しやすくなる。
さらに、請求項９にかかる発明によれば、簡易な構造のシンクロスコープで実現しやすくなる。
さらに、請求項１０にかかる発明によれば、同様の効果を奏する方法を特定することができる。
【発明を実施するための最良の形態】
【００２４】
以下、図面にもとづいて本発明の実施形態を説明する。
（１）第一実施形態
図１は、本発明の一実施形態にかかる輻射電波測定装置を利用してＥＭＩ測定を行う状況を斜視図により示している。
同図において、電波暗室Ｒ内にはＥＭＩ測定の対象となる被測定機器Ｔが所定のテーブルＤ上に載置されている。
本輻射電波測定装置１０は、アンテナ２０と本体３０とから構成され、アンテナ２０は電波暗室Ｒ内にて支持され、本体３０は電波暗室Ｒ外に設置されている。
【００２５】
図２は本輻射電波測定装置を概略図により示している。
アンテナは、被測定機器Ｔ全体からの輻射電波を受信する第一のアンテナ２１（以後、第一アンテナと呼ぶ）と、被測定機器Ｔの近傍にて局所的に輻射電波を受信する第二のアンテナ２２（以後、第二アンテナと呼ぶ）とから構成されている。第二アンテナ２２については近磁界プローブを利用している。
【００２６】
第一アンテナ２１の受信出力と、第二アンテナ２２の受信出力はそれぞれ別個であって同じ濾過周波数帯域を有する第一バンドパスフィルタ３１と、第二バンドバスフィルタ３２に入力され、それぞれの濾過出力（第一系統出力Ｓ１と第二系統出力Ｓ２）がシンクロスコープ３３に入力されている。ここでシンクロスコープ３３においては上記第一系統出力Ｓ１でトリガをかけており、同第一系統出力Ｓ１での受信波形を基準として第二系統出力Ｓ２の受信波形が表示される。上記第二アンテナ２２は被測定機器Ｔの背面上で概ね１ｃｍ×１ｃｍのグリットの交点に順次移動され、交点全てにおいて計測を行う。なお、第一系統出力Ｓ１でのトリガ設定は振幅の中心、すなわち０ボルトに設定する。
上記第一バンドパスフィルタ３１と、第二バンドバスフィルタ３２の濾過帯域を十分に狭めると、第一系統出力Ｓ１と第二系統出力Ｓ２とも同一周波数のサイン波のみが与えられる状態となる。
【００２７】
図３は第一系統出力Ｓ１と第二系統出力Ｓ２のシンクロスコープ３３上での表示例を示している。
同じ信号源（例えば、クロック信号のように一定のノイズが定常的に発生している場合）から発生されるノイズは被測定機器Ｔから離れた位置に固定された第一アンテナ２１にて当該被測定機器Ｔ全体から送信される輻射電波として受信されるとともに、同信号源から近傍に伝搬していくノイズは当該被測定機器Ｔ上で局所的に輻射電波を受信する第二アンテナ２２で受信されることになる。
信号源からの波形と伝搬された波形とでは自ずから位相差や振幅差が生じる。ここでは、第一系統出力Ｓ１のサイン波形を基準として、第二系統出力Ｓ２との間には時間差Ｄｔが生じるとし、第二系統出力Ｓ２には伝搬経路等に依存するノイズレベル（以下、単に振幅と呼ぶ）Ｖを計測する。
【００２８】
今、目的周波数をＦ、あるグリッド（ｘ，ｙ）で計測された第一系統出力Ｓ１と第二系統出力Ｓ２との時間差をＤ（ｘ，ｙ）、第二系統出力Ｓ２の最大値をノイズレベルＶとする。この場合、位相角（位相差を表す）Ｑ（ｘ，ｙ）は、
Ｑ（ｘ，ｙ）＝２π×Ｆ×Ｄ（ｘ，ｙ）
となる。
この位相角Ｑ（ｘ，ｙ）をグリッドの位置に合わせて輝度、色相、彩度、Ｚ値（疑似三次元表示におけるＺ軸方向の値）として平面状に表示することにより、図４に示すように信号源を中心として伝搬していく様が表示されることになる。
【００２９】
このような静止状況を示しても理解しやすいが、本実施形態においては、さらに、位相差を時間の経過に伴って変化させ、各時点での画像を順次表示させていってアニメーション化する。
まず、各グリッドでの任意の位相角ｔにおけるノイズ量Ｎ（ｘ，ｙ）＋ｔを次式で与えるものとする。
Ｎ（ｘ，ｙ，ｔ）＝Ｖ（ｘ，ｙ）×ｓｉｎ（Ｑ（ｘ，ｙ）＋ｔ）  
【００３０】
…  ここで０≦ｔ＜２π
【００３１】
この結果に対して、１対１に求められる輝度、色相、彩度、Ｚ値を与える関数を定めてＣとすると、各グリッドの任意の位相角ｔにおけるノイズ量に対応する輝度、色相、彩度、Ｚ値は次の式で与えられる。
Ｃ（Ｎ（ｘ，ｙ，ｔ））＝Ｃ（Ｖ（ｘ，ｙ）×ｓｉｎ（Ｑ（ｘ，ｙ）＋ｔ））
…  ここで０≦ｔ＜２π
ｔを０から２πまで順次増加させていくと、そのときのｔに対応するＣ（Ｎ（ｘ，ｙ，ｔ）に基づいてノイズ量を示す画像Ｌ（ｔ）を作成することができる。
【００３２】
図２に戻ると、シンクロスコープ３３上で計測された各グリッドでの位相角Ｑ（ｘ，ｙ）とノイズレベルＶはハードディスクや半導体記憶素子からなるメモリ３４に記憶され、データ処理・表示制御部３５は上述した位相角Ｑ（ｘ，ｙ）をノイズレベルＶとともにグリッドの位置に合わせて輝度、色相、彩度、Ｚ値として平面状に表示する画面を生成したり、位相角ｔに応じて変化する位相差Ｃ（Ｎ（ｘ，ｙ，ｔ））に基づいて各位相角ごとに画面を生成し、時間軸に沿って順次表示すべき画面をディスプレイ３６に表示させる。
【００３３】
これにより、図４に示すような静止画あるいは動画を表示することができ、輻射電波の伝搬状況が視覚的に認識することができるので、伝搬源を突き止めることが容易かつ正確に行えるようになる。伝搬源を信号源と考えてその対策を図ればよい。
なお、以上において位置情報、位相角、ノイズレベルを取得して記憶するメモリ３４が記憶手段を構成し、同記憶手段にて記憶された情報を利用して平面状に表示することになるデータ処理・表示制御部３５が表示手段を構成することになる。表示手段についても、位相差を輝度で表示する場合には第一の画像表示手段を構成するし、位相差を色相で表示する場合には第二の画像表示手段を構成するし、位相差を彩度で表示する場合には第三の画像表示手段を構成するし、位相差をＺ値で表示する場合には第四の画像表示手段を構成する。
【００３４】
（２）第二実施形態
図５は本発明の第二の実施形態にかかる輻射電波測定装置をブロック図により示しており、図６は同実施形態で測定を行なう際の処理手順をフローチャートにより示している。
【００３５】
第一アンテナ４１と第二アンテナ４２は、それぞれ第一実施形態における第一アンテナ２１と第二アンテナ２２に相当する。ここで第二アンテナ２２はＸＹテーブル５１上にて支持され、同ＸＹテーブル５１上にて移動可能に載置される被測定機器Ｔに対して相対的に移動可能となっている。
第一アンテナ４１と第二アンテナ４２の出力はそれぞれ第一バンドパスフィルタ（ＢＰＦ１）５２および第二バンドパスフィルタ（ＢＰＦ２）５３に入力されている。同バンドパスフィルタ５２，５３はコントロール端子ＣＴＬへ制御信号を入力することによりその濾過周波数帯域を調整可能であり、バス５４を介してＣＰＵ５５が当該制御信号を生成して送出するようにしている。
【００３６】
バンドパスフィルタ５２，５３を通過する信号成分はアナログ信号であり、これらＡ／Ｄコンバータ５６，５７を通過させ、ディジタル信号とする。Ａ／Ｄコンバータ５６，５７にはコントロール端子ＣＴＬが備えられており、バス５４を介してＣＰＵ５５が制御信号を生成して同コントロール端子ＣＴＬに送出すると同制御信号の受信タイミングでＡ／Ｄコンバータ５６，５７はアナログ信号をディジタル信号に変換し、同ディジタル信号を保持する。保持されたディジタル信号はバス５４を介してＣＰＵ５５が取得する。
【００３７】
ＣＰＵ５５は所定間隔ごとに複数のディジタル信号をＡ／Ｄコンバータ５６，５７から取得し、それぞれ第一系統出力Ｓ１と第二系統出力Ｓ２としてＲＡＭ５６に一時的に記憶する。その後、記憶されたディジタル信号に基づいて第一系統出力Ｓ１と第二系統出力Ｓ２における位相差や同第二系統出力Ｓ２の振幅（ノイズレベル）を演算により求める。
【００３８】
ＣＰＵ５５は当該演算を実行するにあたり予めＸＹテーブル５１に対してバス５４を介して制御信号を送出し、上記第二アンテナ２２が被測定機器Ｔ上における所定位置に位置するように同ＸＹテーブル５１を駆動している。より具体的には同第二アンテナ２２が被測定機器Ｔの背面上で１ｃｍ×１ｃｍのグリッド位置にて上記位相差Ｑや振幅Ｖを求めるように順次移動させている。
【００３９】
各グリッドにて求められた位相差Ｑや振幅ＶはＲＡＭ５６の所定領域にてデータベースとして記憶され、全グリッドでの計測を終えたら各グリッドにて求められた位相差Ｑや振幅Ｖを輝度、色相、彩度、Ｚ値に対応させて平面状に表示すべく表示画像データを生成し、同表示画像データをディスプレイインターフェイス５８ａに送出する。すると、当該ディスプレイインターフェイス５８ａはモニタ５８ｂに表示信号を送出し、画像を表示する。なお、この他、計測のための手順を含めたプログラムや所定のパラメータなどを記憶するためのＲＯＭ５９や、所定の操作を入力するための操作スイッチ６１などが備えられている。
次に、上記構成からなる本実施形態の動作を図６に示すフローチャートを参照しながら説明する。
ステップＳ１０５では第一バンドパスフィルタ５２の濾過周波数帯域を調整し、ステップＳ１１０では第二バンドパスフィルタ５３の濾過周波数帯域を調整する。ここで、両バンドパスフィルタ５２，５３の濾過周波数帯域は一致し、かつ、十分に狭い幅とする。すると、先の実施例で示したように第一アンテナ４１と第二アンテナ４２にて受信されてこれらのバンドパスフィルタ５２，５３を通過した電波の波形は図３に示すようにサイン波形となる。
【００４０】
以下、このようなサイン波形が得られることを前提として、第二アンテナ４２による測定位置を被測定機器Ｔ上での複数の格子位置とすべく、ＸＹテーブル５１の駆動と計測を順次繰り返していく。
このため、まず、ステップＳ１１５にてＸＹテーブル５１の初期位置を次の目標位置として設定し、ステップＳ１２０にて現時点で設定されている目標位置へＸＹテーブル５１を駆動させる。
【００４１】
次に、ステップＳ１２５にて第一系統出力Ｓ１をサンプリングし、ステップＳ１３０にて第一系統出力Ｓ１をサンプリングする。サンプリングはそれぞれのＡ／Ｄコンバータ５６，５７に対して所定間隔ごとに制御信号を送出して同じタイミングでのバンドパスフィルタ５２，５３の出力をＡ／Ｄ変換させつつラッチさせ、その値をディジタルデータとして取得してＲＡＭ５６の所定領域に一時保存する。むろん、サンプリング周波数は少なくとも上記濾過周波数帯域の二倍以上とすることにより、Ａ／Ｄ変換前の元波形を再現可能としておく。
【００４２】
ステップＳ１３５，Ｓ１４０ではサンプリングデータに基づく第一系統出力Ｓ１と第二系統出力Ｓ２の元波形間の位相差Ｑと振幅Ｖを取得する。サンプリングデータに基づく元波形の再現は公知の各手法を採用可能である。そして、ステップＳ１４５ではＸＹテーブル５１に指示した位置データと共に取得した位相差Ｑと振幅ＶをＲＡＭ５６における所定領域にデータベースとして記憶する。
データの記憶後、ステップＳ１５０ではＸＹテーブル５１の次の目標位置であるグリッドの位置を決定する。続くステップＳ１５５では、次の目標位置が最終位置を超えたものか否かを判断し、超えていなければステップＳ１２０にてＸＹテーブル５１を同目標位置に駆動してから上記計測を繰り返す。
【００４３】
被測定機器Ｔ上の全ての予定位置で計測を終えたら、ステップＳ１６０にて表示対象を選択させる。表示対象は、「位相差のみ」なのか、「位相差と振幅」の両方なのかといった表示対象を選択することになる。また、ステップＳ１６５では表示モードを選択させる。表示モードは、例えば、位相差Ｑを輝度、色相、彩度、Ｚ値のいずれに対応させて表示するのか、また、振幅Ｖを輝度、色相、彩度、Ｚ値にのいずれに対応させて表示するのかといった表示モードを選択することになる。
【００４４】
表示対象と表示モードを選択したら、ステップＳ１７０にてＣＰＵ５５がＲＡＭ５６の所定領域に記憶されたデータベースに基づいて各グリッドでの位相差Ｑや振幅Ｖなどを読み出し、求められている画像となるように画像データを生成し、ステップＳ１７５ではモニタ５８ｂ上で同画像データに基づいて画像を表示させる。
【００４５】
なお、以上において位置情報、位相角、ノイズレベルを取得して記憶するステップＳ１２５〜Ｓ１４５が記憶手段を構成し、同記憶手段にて記憶された情報を利用して平面状に表示することになるステップＳ１６０〜Ｓ１７５などが表示手段を構成することになる。表示手段については、ステップＳ１６５にて表示モードを選択することにより、ステップＳ１７０とステップＳ１７５が、位相差を輝度で表示する場合には第一の画像表示手段を構成するし、位相差を色相で表示する場合には第二の画像表示手段を構成するし、位相差を彩度で表示する場合には第三の画像表示手段を構成するし、位相差をＺ値で表示する場合には第四の画像表示手段を構成する。
【００４６】
このように、被測定機器Ｔから離れた位置で当該被測定機器Ｔの全体から輻射される電波を受信する第一アンテナ２１，４１と、被測定機器Ｔに近接位置で複数のグリッド上に移動されるとともに各グリッド上で当該被測定機器Ｔから局所的に輻射される電波を受信する第二アンテナ２２，４２を備え、両アンテナの出力を同じ濾過周波数帯域を有するバンドパスフィルタ３１，３２，５２，５３に通過せしめ、それぞれから得られた第一系統出力Ｓ１Ｓ１と第二系統出力Ｓ２Ｓ２との間での位相差Ｑおよび第二系統出力Ｓ２Ｓ２の振幅Ｖを上記第二アンテナ２２，４２の位置情報と共に記憶し、これを平面状に表示することで被測定機器Ｔ上での輻射電波の伝搬状況を正確かつ容易に視認できるようになる。
【図面の簡単な説明】
【００４７】
【図１】本発明の一実施形態にかかる輻射電波測定装置を利用してＥＭＩ測定を行う状況を示す斜視図である。
【図２】本発明の輻射電波測定装置の概略図である。
【図３】第一系統出力Ｓ１と第二系統出力Ｓ２の一例を示す図である。
【図４】本発明の表示例を示す図である。
【図５】本発明の輻射電波測定装置の他の実施形態を示すブロック図である。
【図６】同実施形態における処理手順を示すフローチャート図である。
【符号の説明】
【００４８】
２１，４１…第一アンテナ
２２，４２…第二アンテナ
３１，５２…第一バンドパスフィルタ
３２，５３…第二バンドパスフィルタ
３４…メモリ
３５…データ処理・表示制御部
３６…ディスプレイ
５６，５７…Ａ／Ｄコンバータ
５４…バス
５５…ＣＰＵ
５６…ＲＡＭ
５８ａ…ディスプレイインターフェイス
５８ｂ…モニタ
５９…ＲＯＭ
６１…制御スイッチ
【図１】
2006170779.tif 000003
【図２】
2006170779.tif 000004
【図３】
2006170779.tif 000005
【図４】
2006170779.tif 000006
【図５】
2006170779.tif 000007
【図６】
2006170779.tif 000008